(57)【要約】【課題】  利便性や実用性を損なわずさらなる保温力の向上および省エネルギーが図れるようにする。【解決手段】  器体１に金属製の真空二重容器３を持ち、この真空二重容器３の一重底部３ｃに外部からヒータ１１を当てがい、真空二重容器３に内外径が共に胴部よりも小さい絞り形状の口部３ａを形成して器体１の肩部材６が前部への突出部３１の上面の操作パネル３２とともに形成する開口１２に通じ、この器体１の開口１２の径を前記真空二重容器３を形成する外筒５の胴部の径よりも小さくして、上記のような目的を達成する。【選択図】  図１
2004237119.tif 000002
【特許請求の範囲】
【請求項１】
器体に金属製の真空二重容器を持ち、この真空二重容器の一重底部に外部からヒータを当てがい、真空二重容器に内外径が共に胴部よりも小さい絞り形状の口部を形成して器体の肩部材が前部への突出部の上面の操作パネルとともに形成する開口に通じ、器体の開口の径を前記真空二重容器を形成する外筒の胴部の径よりも小さくしたことを特徴とする真空二重容器を持った電気貯湯容器。
【請求項２】
器体に金属製の真空二重容器を持ち、この真空二重容器の一重底部に外部からヒータを当てがい、真空二重容器に内外径が共に胴部よりも小さく環状空間とした絞り形状の口部を形成して器体の肩部材が前部への突出部の上面の操作パネルとともに形成する開口に通じ、器体の開口の径を前記真空二重容器を形成する外筒の胴部の径よりも小さくし、前記環状空間内に肩部材と真空二重容器との取り付け部を設けたことを特徴とする真空二重容器を持った電気貯湯容器。
【請求項３】
器体に金属製の真空二重容器を持ち、この真空二重容器の一重底部に外部からヒータを当てがい、真空二重容器に内外径が共に胴部よりも小さく環状空間とした絞り形状の口部を形成して器体の肩部材が前部への突出部の上面の操作パネルとともに形成する開口に通じ、器体の開口の径を前記真空二重容器を形成する外筒の胴部の径よりも小さくし、前記環状空間内に肩部材と真空二重容器との取り付け部を設け、この取り付け部と前記口部の開口端面外周部における内筒および外筒の接合部とを覆う肩リングを有し、この肩リングは肩部材が形成する器体の開口の下部内周に嵌り合って前記開口に連続し、かつ前記開口端面へはその外周側に鉤状断面を持って被さり双方間にシール部材を挟み込んでいることを特徴とする真空二重容器を持った電気貯湯容器。
【発明の詳細な説明】
【技術分野】
【０００１】
本発明は金属製の真空二重容器を持った電気貯湯容器に関するものであり、例えば家庭用の電気ポットなどに利用される。
【背景技術】
【０００２】
電気ポットは家庭や職場、食堂などで広く使用され、四六時中使用状態に置かれることもある。一方では、環境問題や省資源の面から省エネルギーが叫ばれるなか、電気ポットでのヒータによる高い消費電力が改善の対象になってきている。
【０００３】
そこで、従来、図１８に示すような金属製の真空二重容器ａを持った電気ポットが提供され、真空二重容器ａの真空空間ｂにより保温性が向上する分だけ、沸騰させた内容液を所定の温度にて保温するときのヒータｃの消費電力が低減する。
【０００４】
図１８に示す従来の電気ポットは特に、真空二重容器ａに口部ｄに内筒ｅが内側に張り出した絞り部ｆと、胴部の真空空間ｂが底部に回り込んだ回り込み部ｇとを有しているとともに、このような真空二重容器ａを外装ケースｈに収容して器体ｉを構成し、この器体ｉにおける真空二重容器ａの口部ｄに通じる開口ｊにこれを覆いかつ真空二重容器ａの口部ｄに及ぶ蓋ｋを設けている。これにより、沸騰後ヒータｃによる加熱を停止して２時間経過した時点でも実用に耐える９０℃程度の通常保温状態を確保することができる。
【発明の開示】
【発明が解決しようとする課題】
【０００５】
しかし、ヒータｃによる加熱を行わない魔法瓶保温モードが実用される中、さらなる保温力向上が望まれている。そこで、本発明者等は種々に実験を繰り返し検討を重ねた結果、真空二重容器ａまわりにおける真空空間ｂの領域が多いほど保温効果が高いこと、および、内容液の熱は蓋ｋが閉じていても真空二重容器ａの口部ｄから上方に逃げやすく、小さくするほど保温力は向上するが、実用上から様々な障害が生じる。しかし、本発明者等がこれらの関係を総合評価したところ図１８に示す電気ポットではまだ保温力を上げられることが判明した。
【０００６】
本発明の目的は、上記の知見から、利便性や実用性を損なわずさらなる保温力の向上および省エネルギーが図れる真空二重容器を持った電気貯湯容器を提供することにある。
【課題を解決するための手段】
【０００７】
上記の目的を達成するために、本発明の真空二重容器を持った電気貯湯容器は、器体に金属製の真空二重容器を持ち、この真空二重容器の一重底部に外部からヒータを当てがい、真空二重容器に内外径が共に胴部よりも小さい絞り形状の口部を形成して器体の肩部材が前部への突出部の上面の操作パネルとともに形成する開口に通じ、器体の開口の径を前記真空二重容器を形成する外筒の胴部の径よりも小さくしたことを１つの特徴としている。
【０００８】
このような構成では、真空二重容器が曲げ剛性および強度共に高い金属製であることにより壁厚および真空空間層が小さくてよくスリムでありながら高い保温力を発揮することができる上、従来の場合と同じ材料で形成しても絞り形状の加工性が特に低下することはなく信頼性およびコスト共に従来と特に変わらないものとなる。しかも、胴部よりも内外径共に小さい口部まわりを利用して必要なものを併設でき、器体がかさ張らず、外観のシンプル化が図れる。
【０００９】
また、真空二重容器の口部が小さくなった分だけ器体の開口も小さく、突出部の先端から器体の開口までの距離が大きくなり、操作パネルの面積がおおきくなって各種の操作キーや表示部を設けるのに見やすくかつ操作しやすくなるので好適であり多機能化にも対応しやすい。また、大きな液晶表示部が設けられる利点もある。
【００１０】
本発明の真空二重容器を持った電気貯湯容器は、また、器体に金属製の真空二重容器を持ち、この真空二重容器の一重底部に外部からヒータを当てがい、真空二重容器に内外径が共に胴部よりも小さく環状空間とした絞り形状の口部を形成して器体の肩部材が前部への突出部の上面の操作パネルとともに形成する開口に通じ、器体の開口の径を前記真空二重容器を形成する外筒の胴部の径よりも小さくし、前記環状空間内に肩部材と真空二重容器との取り付け部を設けたことを別の特徴としている。
【００１１】
このような構成では、前記１つの特徴の場合に加え、さらに、真空二重容器の胴部よりも内外径共に小さい口部まわりにできる環状空間を利用して、肩部材と真空二重容器との取り付け部を始めとする必要なものを併設でき、器体がかさ張らず、外観のシンプル化が図れる。
【００１２】
本発明の真空二重容器を持った電気貯湯容器は、また、器体に金属製の真空二重容器を持ち、この真空二重容器の一重底部に外部からヒータを当てがい、真空二重容器に内外径が共に胴部よりも小さく環状空間とした絞り形状の口部を形成して器体の肩部材が前部への突出部の上面の操作パネルとともに形成する開口に通じ、器体の開口の径を前記真空二重容器を形成する外筒の胴部の径よりも小さくし、前記環状空間内に肩部材と真空二重容器との取り付け部を設け、この取り付け部と前記口部の開口端面外周部における内筒および外筒の接合部とを覆う肩リングを有し、この肩リングは肩部材が形成する器体の開口の下部内周に嵌り合って前記開口に連続し、かつ前記開口端面へはその外周側に鉤状断面を持って被さり双方間にシール部材を挟み込んでいることを他の特徴としている。
【００１３】
このような構成では、前記別の特徴の場合に加え、さらに、器体の開口の下部内周に嵌り合って前記開口に連続し、かつ前記開口端面へその外周側に鉤状断面を持って被さる肩部材によって前記環状空間およびそこにある取り付け部を覆い隠し、また開口端面との間をシール部材をシールすることができる。
【００１４】
本発明のそれ以上の目的および特徴は、以下の詳細な説明で明らかになる。本発明の各特徴は、それ単独で、あるいは可能な限り種々な組合せで複合して用いることができる。
【発明の効果】
【００１５】
本発明の真空二重容器を持った電気貯湯容器の１つの特徴によれば、真空二重容器が金属製で壁厚、真空空間層が小さくてよくスリムでありながら高い保温力を発揮し、従来に比して絞り形状の加工性が特に低下せず信頼性およびコスト共に特に変わらない。しかも、口部まわりを利用して必要なものを併設でき、器体がかさ張らず、外観のシンプル化が図れる。また、真空二重容器の口部が小さい分だけ器体の開口も小さく、操作パネルの面積がおおきくなって見やすくかつ操作しやすくなって多機能化に対応しやすい。
【００１６】
本発明の真空二重容器を持った電気貯湯容器の別の特徴によれば、前記１つの特徴の場合に加え、さらに、口部まわりにできる環状空間を利用して、肩部材と真空二重容器との取り付け部を始めとする必要なものを併設でき、器体がかさ張らず、外観のシンプル化が図れる。
【００１７】
本発明の真空二重容器を持った電気貯湯容器の他の特徴によれば、前記別の特徴の場合に加え、さらに、器体の開口に連続し、かつ前記開口端面の外周側に鉤状断面を持って被さる肩部材にて前記環状空間およびそこにある取り付け部を覆い隠すのと同時に端面との間をシールすることができる。
【発明を実施するための最良の形態】
【００１８】
以下、本発明に係る実施の形態について図１〜図１７を参照しながら詳細に説明し、本発明の理解に供する。
【００１９】
本実施の形態は、家庭用の電気ポットの場合の一例であり、ステンレス鋼製の真空二重容器を外装ケースに収容した基本構成を有している。しかし、本発明はこれに限定されることはなく、用途や真空二重容器の材質、外装ケースの有無は自由に選択することができる。もっとも、ステンレス鋼は金属の中で熱伝導性が低く、かつ曲げ剛性、強度が十分であり、しかも防錆効果を持つので、飲料用の電気貯湯容器には好適である。
【００２０】
本実施の形態の電気ポットは図１に示すように、ステンレス鋼製の内筒４と外筒５により構成される金属製の真空二重容器３と、内筒４内の内容液を加熱するように真空二重容器３の一重底部３ｃに当てがったヒータ１１とを備え、これらを合成樹脂製の外装ケース２に収容して器体１を構成している。このように真空二重容器３が曲げ剛性および強度共に高い金属製であることにより壁厚および真空空間６３の層が小さくてよくスリムでありながらその材質と相まって高い保温力を発揮することができる。しかし、真空二重容器３はその胴部が外部に露出して器体１を構成するようにしてもよい。真空二重容器３の一重底部３ｃには内容液を器体１外に吐出する吐出路２５が接続され、この吐出路２５は真空二重容器３と外装ケース２との間を立ち上がり、器体１の前部に吐出口２５ｄが臨んでいる。吐出路２５の途中には電動ポンプ２６が設けられ、内容液を電動にて吐出できるようにしている。これに併せ、真空二重容器３の口部３ａに通じる器体１の開口１２を開閉できるように覆う蓋１３に手動のベローズポンプ５０が設けられ、押圧板６１による押圧操作で真空二重容器３内に加圧空気を吹き込み内容液を加圧して吐出路２５を通じ押し出し外部に吐出させられるようにしている。
【００２１】
吐出路２５の立上がり部２５ａは透明管としてそこでの液量が器体１の図１５に示す液量表示窓６２から透視できるようにしている。しかし、内容液の液量は立上がり部２５ａの液量をフォトカプラなどによって段階的に検出して表示し、また各種の制御のための液量データとして用いることもできる。また液量の自動検出は静電容量方式によってもよいし、内容液をヒータ１１で加熱するときの昇温特性や、ヒータ１１の加熱を停止したときの降温特性によっても液量を自動検出することができる。
【００２２】
ところで、真空二重容器３を持った電気ポットにおいて沸騰した内容液をヒータ１１による加熱なしに放置したときの魔法瓶保温状態での保温特性は、図１７に線（１）で示すように口部３ａの開口径Ｄの大きさにほぼ反比例する。線（１）は内容液の２時間後の降温幅を示し、１２０ｍｍでは５℃程度、１４５ｍｍでは１０℃程度、１８０ｍｍでは１７℃程度となっている。
【００２３】
そこで、口部３ａの開口径Ｄを従来の１４５ｍｍ未満に設定すると、本発明の目的である保温力の改善を一応図ることができ、保温力増大の面からは口部３ａの開口径Ｄを極力小さくするのが好適である。しかし、それには制限がある。例えば真空二重容器３内を洗浄や拭き取りなどのお手入れをすることを考えると、大人の人の手、特にこぶしが入るにはＤ＝８０ｍｍ程度が限度であり、Ｄ＝１００ｍｍ程度になると作業しやすく、Ｄ＝１２０ｍｍ程度を越えると作業が自由になる。これを開口径Ｄとお手入れ性の良し悪し性との関係を判定すると図１７の線（２）で示すようになる。
【００２４】
また、蓋１３のベローズポンプ５０を収容している部分を進入部１３ａとして図１、図２に示すように口部３ａ内に進入させることにより、真空二重容器３内の空気を口部３ａ外からできるだけ遠ざけて熱が上部へ逃げるのを抑え、かつ、ベローズポンプ５０を収容した蓋１３が外方に大きく張り出さないようにできるが、実用上差し支えない吐出流量を確保できる容量のベローズポンプ５０に対して、開口径Ｄが１２０ｍｍを下回ると進入部１３ａを口部３ａに進入させるのが勢い困難になり、開口径Ｄが１００ｍｍを切るとベローズポンプ５０は口部３ａの上にしか配置できないので、蓋１３は外方へ大きく張り出し電気ポットが大型化する原因になる。このような口部３ａの開口径Ｄと小型化に対する良し悪し性との関係を評価すると図１７に線（３）で示すようになる。
【００２５】
また、口部３ａの開口径Ｄが胴よりも小さくなる部分は絞り加工により形成するが、口部３ａの開口径が小さければ小さいほど絞り加工が困難で、複数部分に切り離して加工した後溶接して一体にする必要が生じコスト上昇の原因になったり、絞り加工ができても割れなどにより歩留まりや信頼性が低下したり、歩留まりや信頼性は確保できても加工に時間が掛かってコスト上昇の原因になったりする。例えば、ＪＩＳのＳＵＳ３０４やＳＵＳ４３６などの材料からなる内筒４につき、胴径１８０ｍｍからの絞り加工にて口部３ａの開口径Ｄとして１２０ｍｍ以下を目指すと胴部と絞り部とを切り離して加工する必要がある。このような開口径Ｄと加工の難易による良し悪し性との関係につき評価すると、図１７に線（４）で示すようになる。
【００２６】
また、内筒４の内面にフッ素コーティングや研磨処理などを施すのに、ガンやノズルなどの器具が入らないといけないし、処理が均一であるためには器具を自由に動かせることも必要である。従って、口部３ａの開口径Ｄが小さいほど処理は困難になるし、処理できても時間が掛かったり均一に処理できないといった問題がある。また、フッ素コーティング前の内面をブラスト処理して荒らしフッ素コート層の付着力を高める工程においては、内筒４の内に吹き付けたブラスト材が内筒４外に戻り難く作業性が悪くなる。例えば、口部３ａの開口径Ｄが１００ｍｍを切るとコーティング材を吹き付けるガンが内筒４内に入らなくなり、フッ素コーティングは不可能になる。このような開口径Ｄと内筒４の内面の加工や処理の難易による良し悪し性との関係につき評価すると、図１７に線（５）で示すようになる。
【００２７】
以上の線（１）〜（５）に示す保温特性および各種良し悪し性との関係を総合判断すると、お手入れ性、小型化性、絞り加工性・コスト性、および内筒４の内面の加工・処理の容易性のいずれも満足できる限度となる１２０ｍｍを開口径Ｄの下限とするのが好適である。また、開口径Ｄ＝１４０ｍｍでは上記したように２時間後の降温幅が８℃程度で、内容液温度は中温保温温度９２℃程度をまだ保っており、開口径Ｄが１４５ｍｍである従来の場合の２時間後の降温幅が１０℃程度、内容液温度が通常保温温度９０℃程度となるのに対して十分な保温力の向上が見られ好適である。３Ｌの容量の電気ポットの場合、従来年間６５００円程度の節電になっていたのが、開口径Ｄ＝１４０ｍｍでは内容液が従来の場合と同じ実用保温温度９０℃程度になるまでヒータ１１の通電を停止したままにすると７０００円強の節電になる。これは３年で商品価額に達し元が取れることになる。
【００２８】
しかし、開口径Ｄの上限を決める要素としては前記実測データの各種特性の他に、愛用者カードやインターネット情報などによるユーザの希望事項、エアコン、テレビ、冷蔵庫などの他の家電製品との消費電力などとの比較、省エネ率など各種の要素がある。
【００２９】
さらに、図１に示すように真空二重容器３の口部３ａの外径が真空二重容器３を形成している外筒５の胴径よりも小さければ、口部３ａの開口径Ｄが小さくなったことを利用して外径も小さくして、口部３ａまわりをかさ低くすることができ、器体１のさらなる小型化に貢献する。本実施例では特に、真空二重容器３の口部３ａの外径が内筒４の胴径よりも小さい。これにより、口部３ａまわりをさらにかさ低くすることができる。
【００３０】
なお、口部３ａの開口径Ｄは既述したように大人の人の手が入って、しかも、満水位指標６７ａが見える図２に示すような視野範囲θが得られる寸法にするのが好適である。また視野範囲θは操作パネル３２を見て操作する場合の目の位置を含むのが好適である。図示する実施例では内筒４の胴部４ｍの一部を内側に浮き出させた浮き出し壁４ｎに浮き出し線として満水位指標６７ａを形成して前記の視野範囲θを満足している。しかも、満水位指標６７ａよりもさらに見やすくなる満水位指標６７ａの下の部分に上向きの矢印６７ｂとこの矢印６７ｂの方向に満水位指標６７ａがあることを気付かせる文字表示６７ｃを形成してあり、満水位を超える水を入れないことを使用者に守られやすい。また、満水位が真空二重容器３の胴径よりも十分に小さい設計において特に、口部３ａの内径を満水位とほぼ同じかそれよりも小さく設定しても口部３ａからの熱の逃げを抑えやすく保温力が向上する。
【００３１】
このように口部３ａの外径を小さくする本実施例において、さらに、真空二重容器３を形成している内筒４の口部４ａと外筒５の口部５ａとの接合部６４が、図１〜図４に示すように真空二重容器３の口部３ａにおける開口端の外径側に位置している。これにより、口部３ａの開口径Ｄを外径とともに小さくする口部３ａの絞り形状を内筒４と外筒５とで分担し合って、内外筒４、５の１つに絞り形状が集中しないので、加工しやすく材料面および加工作業面にて有利でありコストの低減を図ることができる。内外筒４、５ともＪＩＳのＳＵＳ３０４やＳＵＳ４３６などを用いて問題なく製造することができる。
【００３２】
上記の口部３ａの外径を小さくするのに併せ、真空二重容器３の口部３ａの外径と胴部３ｂの外径との間の口部３ａまわりにできる環状空間６５を利用して、図１〜図３に示すように肩部材６と真空二重容器３との取り付け部６６を設けてある。これにより、金属製の真空二重容器３の肩部３ｄに配して口部３ａに通じる器体１の開口１２部まわりに必要な形状を与えやすい肩部材６を取り付けるのに、肩部材６と真空二重容器３との取り付け部６６を真空二重容器３の胴部外径と口部外径との間の口部３ａまわりにできる環状空間６５を利用して設けるので、取り付け部６６のための特別な空間が不要となり器体１がかさ張らないし、口部３ａまわりにスペースの余裕ができ、必要な取り付け強度やシール部を持つなどかさ張りやすい取り付け部６６を設けたり、他の必要なものを併設したりするのに好適である。
【００３３】
図示する例では真空二重容器３の肩部３ｄの円周方向数箇所に図１〜図３、図７に示すような取り付け金具７１を溶接などして設け、この取り付け金具７１に肩部材６の内周にある取り付けフランジ６ａを当てがった上に、さらに金属製で断面Ｌ型のワッシャリング７５を当てがい、ワッシャリング７５側から取り付け金具７１まで通したねじ７２によりねじ止めしてある。このねじ止めは肩部３ｄが水平であることにより取り付け金具７１および肩部材６ともに単純な形状にて達成することができる。
【００３４】
肩部材６のねじ止め部は肩部材６の前記取り付けフランジ６ａを一体形成している内周面６ｂに嵌め合わせた合成樹脂製の肩リング７３により覆い隠すようにしている。肩リング７３は図１４に示すように円周方向数箇所に下方に延びるフック片７３ｃを有し、これらフック片７３ｃが図４に示すようにワッシャリング７５および取り付けフランジ６ａに形成した孔７５ａ、６ｄに上方から挿入され、その最終挿入位置で孔６ｄの開口縁と弾性係合することにより外れ止めされている。肩リング７３は外周の溝７３ａに嵌め付けたシール部材７４が肩部材６の内周面６ｂに圧着して双方間の隙間をシールしている。また、肩リング７３は図３、図４に示すように内周が真空二重容器３の口部３ａにおける内筒４および外筒５の接合部６４に鉤状断面を持って被さり双方間をそれらに挟み込んだシール部材７７によりシールしている。シール部材７７は内外筒４、５の接合部６４とされた口部４ａ、５ａに内周側が嵌まり合っている。
【００３５】
また、図１、図２に示すように前記環状空間６５を利用して、口部３ａに通じる器体１の開口１２を開閉する蓋１３を器体１に開閉できるようにヒンジ連結する連結部１５を設けてある。このように、器体１の連結部１５を環状空間６５を利用して設けることにより、蓋１３をヒンジ連結する連結部１５のための特別な空間が不要となり器体１がかさ張らないし、口部３ａまわりのスペースに余裕ができ、蓋１３を着脱するための可動部であるストッパ６８を持つなど複雑でかさ張りやすい連結部１５を設けたり、他の必要なものを併設するのに好適である。複雑でかさ張る連結部のために従来図１７に示し、図１６に仮想線で示すように器体１の外面から突出していたのを、図１６に実線で示すような胴部２ｂから突出しない連結部１５とすることが容易にでき、外観のシンプル化も図れる。
【００３６】
図示する例では図２に示すようにストッパ６８はばね６９により上方に向け付勢されて、連結部１５におけるヒンジピン１６との嵌まり合い凹部１７１の横向き開放部１７１ａを常時閉じている。これにより、蓋１３を口部３ａおよび器体１の開口１２から脱した開き位置にしておいてヒンジピン１６を嵌まり合い凹部１７１から引出すように移動させて取り外そうとしても、ヒンジピン１６はストッパ６８に引っ掛かって嵌まり合い凹部１７１から抜け出せない。蓋１３を外すにはストッパ６８をその操作部６８ａによりばね６９に抗し下動させて嵌まり合い凹部１７１の横向き開放部１７１ａを開放する必要がある。これによって、蓋１３が不用意に外れるようなことを防止する。
【００３７】
また、蓋１３は既述し図２に示すように真空二重容器３の口部３ａ内への進入部１３ａを有し、口部３ａは蓋１３が開閉されるときに進入部１３ａが描く包絡線７８に対する最近接位置にあるようにしている。このように、蓋１３の一部を進入部１３ａとして真空二重容器３の口部３ａ内への進入を図ることによって、口部３ａから熱が逃げるのを邪魔して保温力を高めるのと同時に、蒸気通路１７や手動ポンプであるベローズポンプ５０を収容するなどで蓋１３に必要となる大きな容量を十分に確保しながら器体１外部への膨らみを抑えられる。しかも、真空二重容器３の前記のように開口径Ｄを小さくした口部３ａが、蓋１３の開閉時に前記進入部１３ａの輪郭が描く包絡線７８の直近にあるので、蓋１３の開閉を邪魔しない限度一杯まで開口径Ｄを小さくして熱をより逃げにくくすることができる。
【００３８】
しかも、蓋１３の前記進入部１３ａの基部まわりには蓋１３と進入部１３ａに当てがった金属製の内蓋１２１との間に挟み込んだシール部材１２２が設けられ、口部３ａの最内径部に圧接して口部３ａを閉じている。これにより、満水位と進入部１３ａとの間の蒸気通路１７の内側開口１７ａを内容液が閉じないための安全空間に位置する空気が口部３ａよりも外部へ大きく広がって熱が逃げやすくなるのを防止するので、保温力が向上する。
【００３９】
また、前記電動ポンプ２６およびベローズポンプ５０などの手動ポンプの少なくとも一方を備えていると、電気貯湯容器を定置したまま内容液を吐出して使用することができ、近時大型化し持ち上げ難くなっている大型タイプのものに好適である。特に手動ポンプを備えているとヒータ１１で加熱しない魔法瓶保温状態での使用時に通電なしに定置したままでの内容液の吐出ができ、省エネルギーや電源のないところでの使用に好適である。
【００４０】
さらに詳述すると、図２に示すように、内筒４は胴部４ｍにおける満水位ライン６７の少し上から斜め内側に立ち上がる絞り形状面４ｂにて前記小径な口部３ａに繋がり、ここから口部３ａのストレートな内径面４ｃを形成した後、やや斜め上向きとなる口部３ａの開口端面３ａ１を形成して前記外筒５との溶接接合部６４に達している。外筒５は胴部５ｍにおける前記内筒４の絞り形状面４ｂの立上がり始点にほぼ対応した位置から絞り形状面４ｂよりは緩やかに内側斜めに立ち上がる絞り形状面５ｂを形成した後、絞り形状面４ｂの立上がり終点にほぼ対応した位置の水平な肩部３ｄに繋がり、ここからストレートに立ち上がって内筒４との溶接接合部６４に達している。
【００４１】
また、内筒４は図９に示すように胴部４ｍ下端に少しの内向きフランジ４ｅを形成し、これを円形な底板８１との溶接接合部８０を持った一体化により容器形状にしている。こうして形成される容器形状をした内筒４の底部には、外周側から中央側に向け水平部４ｆ、緩やかな下り傾斜部４ｇ、水平部４ｈ、急な下り傾斜部４ｉ、中央水平部４ｊを形成している。一方、外筒５は図１０に示すように胴部５ｍ下端に内向きのフランジ５ｃを形成し、これにフランジ５ｃ部から内筒４の中央水平部４ｊの外周部まで延びる水平な底リング５ｄとを溶接接合部９０をもって一体化するとともに、底リング５ｄの内周を内筒４の中央水平部４ｊとの溶接接合部８０をもって一体化している。底リング５ｄには２つの環状の補強ビード５ｇが折り曲げ形成され、図１、図１３に示すように内側の補強ビード５ｇが内筒４の急な下り傾斜部４ｉと係合し合うことによって、底リング５ｄと中央水平部４ｊとの溶接接合時に、内外筒４、５の底部どうしの位置決めができるようにしている。
【００４２】
以上の結果、外筒５の底リング５ｄと内筒４の底部との間に胴部からの空間のまわり込み部が形成される。つまり真空空間６３が形成されたときは真空空間６３の回り込み部６３ａとなる。内筒４の中央水平部４ｊは外筒５の底リング５ｄとの溶接接合部８０から内側が一重底部３ｃとなりここにヒータ１１を当てがうことで内筒４内に入れた内容液を効率よく加熱することができるが、本実施例では中央水平部４ｊのヒータ１１を当てがう部分を上方へ窪ませた下向きの凹部３ｅとしてあり、この凹部３ｅの深さ分だけヒータ１１の位置が内容液側に突出するし、ヒータ１１の設置域の内容液との接触面積が多くなって加熱効率が向上する。
【００４３】
この凹部３ｅによる内筒４内への突出部と回り込み部６３ａとの間に上向きの凹部８４が環状に形成されており、吐出路２５を通じて吐出される内容液がその凹部８４内に幾分残されるように吐出路２５の流入端２５ｅを適度に突出させてある。これによって、流入端２５ｅが内筒４内に突出している分だけ内容液が吐出されずに残り、空焚き防止になる。図１〜図１５に示す実施例では吐出路２５の流入端２５ｅは前記凹部８４の広くした拡張部８４ａに接続している。拡張部８４ａは図５に示すように円形な凹部３ｅを偏心させて形成すると、ヒータ１１の面積が小さくならないので、加熱効率が低下することはない。また、拡張部８４ａは図６に実線や仮想線で示すように円形な凹部３ｅの一部を切り欠いて形成してもよく、この場合、ヒータ１１の面積が切り欠き分だけ小さくなる。しかし、その割合は少ない。
【００４４】
一重底部３ｃに当てがったヒータ１１の背部には、金属製の遮熱板８７が設けられ、真空二重容器３の真空空間まわり込み部と凹部３ｅの外面に溶接などして円周方向数箇所に取り付けた図１、図８、図１３に示すような取り付け金具８８にねじ８９によりねじ止めし、遮熱板８７とヒータ１１との間に金属製のバックアップ板９２およびばね部材９１を挟み込み、ばね部材９１によってヒータ１１を一重底部３ｃに押し付け密着させている。また、ヒータ１１の当てがい部および、凹部８４の底部に前記溶接接合部となる内外筒４、５が接し合った二重構造部が位置している。なお、この底部の取り付け金具８８と肩部の前記取り付け金具７１とは同一のものを採用している。
【００４５】
また、外筒５は前記絞り形状面５ｂの部分から肩部３ｄを経て内筒４との接合部６４に至る口部３ａの範囲を胴部側と独立した別部材８３とし、胴部側と外向きフランジ５ｅ、５ｆ間に溶接接合部８５を設けている。この別部材８３の溶接接合を最後に行うことにより、容器形状の内筒４と別部材８３のない外筒５部分とを嵌め合わせて底部の溶接接合を行って後、別部材８３の溶接接合を行うことによって、内外筒４、５の双方に絞り形状面４ｂ、５ｂを持った内外筒４、５を組み合わせた二重容器構造が実現する。
【００４６】
内外筒４、５間の真空空間６３は、溶接接合をし終えた内外筒４、５において、図８に示すように肩部３ｄの一部に形成された図１１に示す真空引き孔１０１を通じ真空排気して封口材により封口処理することによって形成される。真空排気は真空状態の加熱炉内にて行われる。真空空間６３内には図１２に示すようなゲッタ１０２が１つまたはそれ以上設けられ、真空空間６３内で経時的に発生するガスを吸収して真空空間６３の真空度が低下しないようにする。
【００４７】
蓋１３は真空二重容器３からの蒸気を外部に逃がす蒸気通路１７が形成され、蓋１３の真空二重容器３内に面する位置の内側開口１７ａと、外部に露出する外面に形成された外側開口１７ｂとの間で通じている。蒸気通路１７の途中には、器体１が横転して内容液が進入してきた場合にそれを一時溜め込み、あるいは迂回させて、外側開口１７ｂに至るのを遅らせる安全経路１７ｃを設けてある。これにより、器体１が横転して内容液が蒸気通路１７を通じて外部に流出するまでに器体１を起こすなどの処置ができるようになる。また、蒸気通路１７には器体１の横転時に、蒸気通路１７に進入しようとし、あるいは進入した内容液が先に進むのを阻止するように自重などで働く転倒時止水弁１８が適所に設けられている。図示する実施例では内側開口１７ａの直ぐ内側の一か所に設けてある。
【００４８】
蓋１３の前部には閉じ位置で肩部材６側の係止部１９に係合して蓋１３を閉じ位置にロックするロック部材２１が設けられ、蓋１３が閉じられたときに係止部１９に自動的に係合するようにばね２２の付勢によってロック位置に常時突出するようにしている。これに対応して蓋１３にはロック部材２１を後退操作して前記ロックを解除するロック解除部材２３が設けられている。ロック解除部材２３は図１に示すように軸２４によって蓋１３に枢支されたレバータイプのものとされ、前端２３ａを親指などで押し下げて反時計回りに回動させることでロック部材２１をばね２２に抗して後退させてロックを解除し、続いてロック解除操作で起き上がった後端２３ｂを他の指で引き上げることによりロックを解除された蓋１３を持ち上げこれを開くことができる。
【００４９】
電動ポンプ２６は遠心ポンプであって真空二重容器３の直ぐ下の位置に設けられ、真空二重容器３内から流れ込む内容液を吐出路２５を通じて器体１外に臨む吐出口２５ｄに向け送りだし、吐出口２５ｄから外部に吐出させ使用に供する。
【００５０】
外装ケース２の底２ａと真空二重容器３の底部との間の空間７９には、前記電動ポンプ２６とともに、ヒータ１１や電動ポンプ２６を通電制御する制御基板２７を収容する回路ボックス２８が設置されている。図示する実施例では回路ボックス２８は外装ケース２の底の開口部に一体形成して設けてある。また、回路ボックス２８は下向きに開口しこれを閉じる蓋１６０を設けてある。真空二重容器３の一重の底部３ｃの中央には温度センサ２９が下方から当てがわれ、内容液のその時々の温度を検出して、湯沸しや保温モードで内容液を加熱制御する場合の温度情報を得る。
【００５１】
器体１の肩部材６の前部に嘴状に突出する突出部３１の上面には操作パネル３２が設けられ、モード設定などの操作部や、操作に対応する表示、あるいは動作状態を示す表示を行うようにしてある。操作パネル３２の下方、つまり内側には前記操作および表示に対応する信号の授受および動作を行う操作基板３３が設けられて操作パネル３２と協働して外部からの操作や外部への表示が行えるようにする。吐出路２５の上部は器体１の突出部３１と外装ケース２側のパイプカバー部２ｄとの間に入った部分で逆Ｕ字状のユニット２５ｃを構成し、このユニット２５ｃに転倒時止水弁１３４ａおよび前傾時止水弁１３４ｂと吐出口２５ｄを設けている。吐出口２５ｄはパイプカバー部２ｄを通じて下向きに外部に開口している。
【００５２】
外装ケース２の底２ａにある開口２ｃには下方から蓋板３６を当てがってねじ止めや部分的な係合により取付け、蓋板３６の外周部には回転座環３７が回転できるように支持して設けられ、器体１がテーブル面などに定置されたときに回転座環３７の上で軽く回転して向きを変えられるようにしてある。
【００５３】
制御基板２７は電源オンによって内容液の衛生上やカルキ臭除去などの面から一旦沸騰させ、あるいは、さらに沸騰を持続させるなどのカルキ除去を行って後、温度センサ２９による検知温度が所定の保温温度になるまでヒータ１１の加熱を停止し、所定の保温温度になればヒータ１１による断続加熱や通電容量の小さな加熱によって所定の保温温度を保つようにする。
【００５４】
保温温度は操作パネル３２での操作にて選択でき、コーヒーや紅茶、緑茶などには即時に間に合い、あるいは瞬時に再沸騰させてから使用できる９８℃程度の高温保温、それより若干低い９０℃程度の通常保温、玉露や赤ちゃんのミルク溶きに適当な６０℃程度の低温保温などが選択対象になっている。また、内容液を沸騰させた後ヒータ１１による加熱を行わずに保温を行う魔法瓶保温モードも持っている。一方、内容液を電動ポンプ２６で注出したり、内容液が帰宅時や起床時など所定の時点で湯沸しが終了し、あるいは所定の保温状態になっているようにタイマ設定を行うお休みタイマモード、即席めんや冷凍食品の再生時間などのクッキング時間をカウントして知らせるキッチンタイマ、内容液の不用意な注出を防止するための注出ロックモード、などを選択設定することも行われる。さらに、それら設定状態を解除する解除操作も行われたりもする。
【００５５】
また、前記狭い突出部３１内に吐出路２５のユニット２５ｃと共に設置されるなどしても、前記真空二重容器３の口部３ａまわりの環状空間６５を利用して真空二重容器３の側に大きく逃がせるので、操作パネル３２の内側にある操作基板３３やそれを収容している基板ボックス３４などと干渉し合うのを防止しやすく、突出部３１の薄型化、小型化も図れる。また、操作パネル３２も口部３ａの外径が小さくなった分だけ器体１の開口１２の径も小さくなるので、従来と同じ突出度の突出部３１の先端から開口１２までの距離が大きくなり、操作パネル３２の面積が大きくなり、各種の操作キーや表示部を設けるのに見やすくかつ操作しやすくなるので好適であり多機能化にも対応しやすい。また、大きな液晶表示部３８ａが設けられる利点もある。
【００５６】
なお、図１６に示す例は、ヒータ１１を当てがう凹部３ｅが胴部２ｂと同心的に形成され、これらに凹部８４も同心的で部分的な拡張部を有してないことにより、吐出路２５の流入端２５ｅは凹部３ｅの天井壁に接続して空焚き防止が図れるようにしている。
【産業上の利用可能性】
【００５７】
本発明は家庭用の電気ポットに実用でき、利便性、実用性、保温性の高いものとする。
【図面の簡単な説明】
【００５８】
【図１】本発明に係る真空二重容器を持った電気ポットの１つの実施例を示す断面図である。
【図２】図１の電気ポットの真空二重容器の口部まわりを示す、その（ａ）は断面図、その（ｂ）は満水位指標部の正面図である。
【図３】図１の電気ポットの真空二重容器の口部まわりの肩部材取り付け部を示す断面図である。
【図４】図１の電気ポットの真空二重容器の口部まわりの肩部材取り付け部を示す別の位置での断面図である。
【図５】図１の電気ポットにおける吐出路接続状態の１つの例を示す横断面図である。
【図６】図１の電気ポットにおける吐出路接続状態の別の例を示す横断面図である。
【図７】図１の電気ポットにおける真空二重容器の半部を示す平面図である。
【図８】図１の電気ポットにおける真空二重容器の半部を示す下面図である。
【図９】図１の電気ポットにおける真空二重容器を構成する内筒の底部を示す一部の断面図である。
【図１０】図１の電気ポットにおける真空二重容器を構成する外筒の底部を示す一部の断面図である。
【図１１】図１の電気ポットにおける真空二重容器の口部を示す一部の断面図である。
【図１２】図１の電気ポットにおける真空二重容器の口部を示す別の位置での一部の断面図である。
【図１３】図１の電気ポットにおける真空二重容器の底部の全体を示す断面図である。
【図１４】図１の電気ポットにおける肩部材のねじ止め部を覆う肩リングの断面図である。
【図１５】図１の電気ポットの外観斜視図である。
【図１６】図１の電気ポットにおける真空二重容器の別の例を示す断面図である。
【図１７】真空二重容器の口部の開口径と各種の面から見た良し悪し性との関係を示すグラフである。
【図１８】従来の真空二重容器を持った電気ポットの断面図である。
【符号の説明】
【００５９】
１  器体
２  外装ケース
３  真空二重容器
３ａ  口部
３ｂ  胴部
３ｃ  一重底部
３ａ１  開口端面
４  内筒
５  外筒
６  肩部材
６ｂ  内周面
１１  ヒータ
１２  開口
１３  蓋
３１  突出部
３２  操作パネル
５０  ベローズポンプ
６３  真空空間
６４  接合部
６５  環状空間
６６  取り付け部
７３  肩リング
７７  シール部材
【図１】
2004237119.tif 000003
【図２】
2004237119.tif 000004
【図３】
2004237119.tif 000005
【図４】
2004237119.tif 000006
【図５】
2004237119.tif 000007
【図６】
2004237119.tif 000008
【図７】
2004237119.tif 000009
【図８】
2004237119.tif 000010
【図９】
2004237119.tif 000011
【図１０】
2004237119.tif 000012
【図１１】
2004237119.tif 000013
【図１２】
2004237119.tif 000014
【図１３】
2004237119.tif 000015
【図１４】
2004237119.tif 000016
【図１５】
2004237119.tif 000017
【図１６】
2004237119.tif 000018
【図１７】
2004237119.tif 000019
【図１８】
2004237119.tif 000020